(57)【特許請求の範囲】
【請求項１】
複数号機の乗りかごを有するエレベータシステムにおいて、
上記各号機の乗場が配置されたエレベータホールへの利用者の進入を規制するセキュリティゲートと、
このセキュリティゲートの入口側で利用者情報を読み取る情報読取り装置と、
この情報読取り装置によって読み取られた利用者情報に含まれる行先階に基づいて上記各号機の中から割当号機を決定する群管理制御装置と、
上記セキュリティゲートの出口側で上記群管理制御装置によって決定された上記割当号機に関する情報を表示する表示装置とを具備し、
上記表示装置は、
上記割当号機に関する情報として、少なくとも上記行先階と上記割当号機を含む基本情報と上記エレベータホール内の上記割当号機の乗場に利用者を案内するための方向性を有する案内情報を別画面で表示することを特徴とするエレベータシステム。
【請求項２】
上記表示装置は、
上記案内情報として、上記セキュリティゲートの出口から上記割当号機の乗場方向に流れる特定の文字を表示することを特徴とする請求項１記載のエレベータシステム。
【請求項３】
上記表示装置は、
上記案内情報として、上記各号機の乗場のレイアウトを表示し、そのレイアウト上で上記割当号機の乗場を視認可能な形態で表示することを特徴とする請求項１記載のエレベータシステム。
【請求項４】
上記表示装置は、
上記案内情報として、上記セキュリティゲートの出口から上記割当号機の乗場方向を指す矢印を表示することを特徴とする請求項１記載のエレベータシステム。
【請求項５】
上記表示装置は、
上記エレベータホール内の上記各号機の配置に合わせて上記矢印の表示位置を変更することを特徴とする請求項４記載のエレベータシステム。
【請求項６】
上記表示装置は、
上記基本情報と上記案内情報を切り替えて表示することを特徴とする請求項１乃至５のいずれかに記載のエレベータシステム。
【請求項７】
上記表示装置は、
上記基本情報と上記案内情報を交互にフリッカー表示することを特徴とする請求項１乃至５のいずれかに記載のエレベータシステム。
【請求項８】
上記表示装置は、
上記基本情報と上記案内情報を所定の順でスクロール表示することを特徴とする請求項１乃至５のいずれかに記載のエレベータシステム。
【請求項９】
複数号機の乗りかごの運転を制御するエレベータの群管理制御装置と連動して、上記各号機の乗場が配置されたエレベータホールへの進入を規制するセキュリティゲートであって、
入口側に利用者情報を読み取るための情報読取り装置と、
この情報読取り装置によって読み取られた利用者情報に含まれる行先階を上記群管理制御装置に転送し、上記群管理制御装置によって上記各号機の中から決定された割当号機に関する情報を受信する制御装置と、
出口側に上記制御装置によって受信された上記割当号機に関する情報を表示する表示装置とを具備し、
上記表示装置は、
上記割当号機に関する情報として、少なくとも上記行先階と上記割当号機を含む基本情報と上記割当号機の乗場に利用者を案内するための方向性を有する案内情報を別画面で表示することを特徴とするセキュリティゲート。
【請求項１０】
上記表示装置は、
上記案内情報として、上記セキュリティゲートの出口から上記割当号機の乗場方向に流れる特定の文字を表示することを特徴とする請求項９記載のセキュリティゲート。
【請求項１１】
上記表示装置は、
上記案内情報として、上記各号機の乗場のレイアウトを表示し、そのレイアウト上で上記割当号機の乗場を視認可能な形態で表示することを特徴とする請求項９記載のセキュリティゲート。
【請求項１２】
上記表示装置は、
上記案内情報として、上記セキュリティゲートの出口から上記割当号機の乗場方向を指す矢印を表示することを特徴とする請求項９記載のセキュリティゲート。
【請求項１３】
上記表示装置は、
上記エレベータホール内の上記各号機の配置に合わせて上記矢印の表示位置を変更することを特徴とする請求項１２記載のセキュリティゲート。
【請求項１４】
上記表示装置は、
上記基本情報と上記案内情報を切り替えて表示することを特徴とする請求項９乃至１３のいずれかに記載のセキュリティゲート。
【請求項１５】
上記表示装置は、
上記基本情報と上記案内情報を交互にフリッカー表示することを特徴とする請求項９乃至１３のいずれかに記載のセキュリティゲート。
【請求項１６】
上記表示装置は、
上記基本情報と上記案内情報を所定の順でスクロール表示することを特徴とする請求項９乃至１３のいずれかに記載のセキュリティゲート。
【請求項１７】
各号機の乗場が配置されたエレベータホールへの進入を規制するセキュリティゲートの出口側に設置され、上記セキュリティゲートの入口側で読み取られた利用者情報に含まれる行先階に基づいて上記各号機の中から決定された割当号機に関する情報を表示する表示装置であって、
上記割当号機に関する情報として、少なくとも上記行先階と上記割当号機を含む基本情報と上記割当号機の乗場に利用者を案内するための方向性を有する案内情報を別画面で表示することを特徴とする表示装置。
【請求項１８】
上記案内情報として、上記セキュリティゲートの出口から上記割当号機の乗場方向に流れる特定の文字を表示することを特徴とする請求項１７記載の表示装置。
【請求項１９】
上記案内情報として、上記各号機の乗場のレイアウトを表示し、そのレイアウト上で上記割当号機の乗場を視認可能な形態で表示することを特徴とする請求項１７記載の表示装置。
【請求項２０】
上記案内情報として、上記セキュリティゲートの出口から上記割当号機の乗場方向を指す矢印を表示することを特徴とする請求項１７記載の表示装置。
【請求項２１】
上記エレベータホール内の上記各号機の配置に合わせて上記矢印の表示位置を変更することを特徴とする請求項２０記載の表示装置。
【請求項２２】
上記基本情報と上記案内情報を切り替えて表示することを特徴とする請求項１７乃至２１のいずれかに記載の表示装置。
【請求項２３】
上記基本情報と上記案内情報を交互にフリッカー表示することを特徴とする請求項１７乃至２１のいずれかに記載の表示装置。
【請求項２４】
上記基本情報と上記案内情報を所定の順でスクロール表示することを特徴とする請求項１７乃至２１のいずれかに記載の表示装置。
【発明の詳細な説明】
【技術分野】
【０００１】
本発明の実施形態は、乗場行先階登録装置を備えたエレベータシステムと、このエレベータシステムに用いられるセキュリティゲート及び表示装置に関する。
【背景技術】
【０００２】
一般に、建物の各階の乗場には、乗場呼びを登録するための乗場呼びボタンが設置されている。エレベータの利用者がこの乗場呼びボタンを操作すると、乗りかごが乗場呼びの登録階に応答する。利用者が乗りかごに乗り込み、かご操作盤の行先階呼びボタンを操作すると、行先階が登録され、乗りかごがその行先階に移動する。
【０００３】
近年、上述した乗場呼びボタンとは別に、乗場にて直接行先階を登録可能な乗場行先階登録装置を備えたエレベータの群管理システムが実用化されている。このような群管理システムを「行先階制御システム（ＤＣＳ：Destination  Control  System）」と呼ぶ。
【０００４】
この行先階制御システムでは、乗場で登録された行先階に基づいて割当号機が決定される。詳しくは、行先階を含んだ乗場呼びに基づいて、各号機の中から最適な号機が選出されて、その号機に当該乗場呼びが割り当てられる。なお、乗りかごが複数台存在する場合に、乗りかご1台１台のことを「号機」と呼び、乗場呼びが割り当てられた乗りかごのことを「割当号機」と呼ぶ。
【０００５】
ここで、セキュリティゲートとＤＣＳを連動させたエレベータシステムが考えられている。このエレベータシステムでは、利用者がセキュリティゲートを通過するときに、その利用者が持つセキュリティカードなどを通じて行先階が登録され、その行先階に基づいて割当号機が決定される。
【先行技術文献】
【特許文献】
【０００６】
【特許文献１】特許第５２６０４８４号公報
【特許文献２】特許第５２７３５６７号公報
【発明の概要】
【発明が解決しようとする課題】
【０００７】
上述したエレベータシステムでは、割当号機が決定されると、その割当号機を示す情報（号機名）がゲート出口側に設置された表示装置に表示される。しかしながら、セキュリティゲートから離れた場所に各号機の乗場があると、利用者は自分の乗る号機の乗場がどこにあるのか分からずに迷うことがある。
【０００８】
本発明が解決しようとする課題は、セキュリティゲートを通過した利用者を乗場まで円滑に案内することのできるエレベータシステム、セキュリティゲート及び表示装置を提供することである。
【課題を解決するための手段】
【０００９】
本実施形態に係るエレベータシステムは、複数号機の乗りかごを有するエレベータシステムにおいて、上記各号機の乗場が配置されたエレベータホールへの利用者の進入を規制するセキュリティゲートと、このセキュリティゲートの入口側で利用者情報を読み取る情報読取り装置と、この情報読取り装置によって読み取られた利用者情報に含まれる行先階に基づいて上記各号機の中から割当号機を決定する群管理制御装置と、上記セキュリティゲートの出口側で上記群管理制御装置によって決定された割当号機に関する情報を表示する表示装置とを具備し、上記表示装置は、上記割当号機に関する情報として、少なくとも行先階と割当号機を含む基本情報と上記エレベータホール内の上記割当号機の乗場に利用者を案内するための方向性を有する案内情報を別画面で表示することを特徴とする。
【００１０】
また、本実施形態に係るセキュリティゲートは、複数号機の乗りかごの運転を制御するエレベータの群管理制御装置と連動して、上記各号機の乗場への進入を規制するセキュリティゲートであって、入口側に利用者情報を読み取るための情報読取り装置と、この情報読取り装置によって読み取られた利用者情報に含まれる行先階を上記群管理制御装置に転送し、上記群管理制御装置によって上記各号機の中から決定された割当号機に関する情報を受信する制御装置と、出口側に上記制御装置によって受信された割当号機に関する情報を表示する表示装置とを具備し、上記表示装置は、上記割当号機に関する情報として、少なくとも行先階と割当号機を含む基本情報と上記割当号機の乗場に利用者を案内するための方向性を有する案内情報を別画面で表示することを特徴とする。
【００１１】
また、本実施形態に係る表示装置は、各号機の乗場への進入を規制するセキュリティゲートの出口側に設置され、上記セキュリティゲートの入口側で読み取られた利用者情報に含まれる行先階に基づいて上記各号機の中から決定された割当号機に関する情報を表示する表示装置であって、上記割当号機に関する情報として、少なくとも行先階と割当号機を含む基本情報と上記割当号機の乗場に利用者を案内するための方向性を有する案内情報を別画面で表示することを特徴とする。
【図面の簡単な説明】
【００１２】
【図１】図１は一実施形態に係るエレベータシステムに用いられるセキュリティゲートとエレベータホールとの関係を示す図である。
【図２】図２は同実施形態におけるセキュリティカードに記録された情報を説明するための図である。
【図３】図３は同実施形態におけるキー入力方式の操作パネルの一例を示す図である。
【図４】図４は同実施形態におけるエレベータシステムの機能構成を示すブロック図である。
【図５】図５は同実施形態におけるゲート制御装置の機能構成を示すブロック図である。
【図６】図６は同実施形態におけるゲート制御装置の動作を説明するためのフローチャートである。
【図７】図７は同実施形態におけるセキュリティゲートに設けられた表示装置に表示される基本情報の表示例を示す図である。
【図８】図８は同実施形態におけるセキュリティゲートに設けられた表示装置に表示される案内情報の表示例を示す図である。
【図９】図９は他の表示方法としてフリッカー表示の一例を示す図である。
【図１０】図１０は他の表示方法としてスクロール表示の一例を示す図である。
【図１１】図１１は他の表示方法としてＡ号機の乗場の配置に合わせて矢印を表示する場合の一例を示す図である。
【図１２】図１２は他の表示方法としてＢ号機の乗場の配置に合わせて矢印を表示する場合の一例を示す図である。
【図１３】図１３は他の表示方法としてＣ号機の乗場の配置に合わせて矢印を表示する場合の一例を示す図である。
【図１４】図１４は他の表示方法としてＤ号機の乗場配置に合わせて矢印の表示位置を変更する方法を説明するための図である。
【図１５】図１５は他の表示方法としてＥ号機の乗場の配置に合わせて矢印を表示する場合の一例を示す図である。
【図１６】図１６は他の表示方法としてＡ号機の文字を乗場方向に流して表示する場合の一例を示す図である。
【図１７】図１７は他の表示方法としてＢ号機の文字を乗場方向に流して表示する場合の一例を示す図である。
【図１８】図１８は他の表示方法としてＣ号機の文字を乗場方向に流して表示する場合の一例を示す図である。
【図１９】図１９は他の表示方法としてＤ号機の文字を乗場方向に流して表示する場合の一例を示す図である。
【図２０】図２０は他の表示方法としてＥ号機の文字を乗場方向に流して表示する場合の一例を示す図である。
【図２１】図２１は他の表示方法としてレイアウト表示の一例を示す図である。
【図２２】図２２は他の表示方法として簡易的なレイアウトを表示する場合の一例を示す図である。
【発明を実施するための形態】
【００１３】
以下、図面を参照して実施形態を説明する。
【００１４】
図１は一実施形態に係るエレベータシステムに用いられるセキュリティゲートとエレベータホールとの関係を示す図である。
【００１５】
オフィスビルなどの建物の基準階にセキュリティゲート１１が設置されている。なお、図１の例では、１台のセキュリティゲート１１しか示されていないが、複数台のセキュリティゲート１１が各箇所に設置された構成であっても良い。
【００１６】
セキュリティゲート１１には、エレベータホール３０への利用者の進入を規制するための扉１２が開閉自在に取り付けられている。セキュリティゲート１１の入口付近には、利用者が所持するセキュリティカード１０の情報を読み取る情報読取り装置１３が設けられている。
【００１７】
図２に示すように、セキュリティカード１０には、利用者を識別するための数桁のＩＤ（identification）番号と、その利用者の行先階（利用階）が予め記録されている。情報読取り装置１３は、所謂「カードリーダー」であり、電磁案内方式などによりセキュリティカード１０に記録された利用者情報を非接触で読み取る。
【００１８】
なお、情報読取り装置１３に代えて、図３に示すようなキー入力方式の操作パネル２０がセキュリティゲート１１の入口側に設置された構成であっても良い。この操作パネル２０には複数の数字キー２１と登録キー２２が設けられている。利用者はセキュリティゲート１１の入口で、これらの数字キー２１と登録キー２２を操作して所定桁のＩＤ番号と行先階を登録する。
【００１９】
セキュリティゲート１１の出口付近には、例えば液晶パネルなどからなる表示装置１４が設置されている。表示装置１４は、利用者がセキュリティゲート１１を通過するときに割当号機に関する情報を表示する。本実施形態において、表示装置１４は、割当号機に関する情報として、少なくとも行先階と割当号機を含む基本情報と割当号機の乗場に利用者を案内するための案内情報を別画面で表示する。
【００２０】
なお、情報読取り装置１３と表示装置１４は、所定の間隔を空けて配設されている。上記所定の間隔は、利用者がセキュリティゲート１１を移動するときの平均的な速度を考慮して決められている。
【００２１】
セキュリティゲート１１の先にエレベータホール３０があり、そのエレベータホール３０に複数台のエレベータの乗場が配置されている。なお、ここで言う「エレベータ」とは、基本的には「乗りかご」のことであり、複数台の乗りかごが存在する場合に「号機」と呼ぶ。図１の例では、エレベータホール３０内の各箇所にＡ〜Ｅ号機で示される各乗りかご３１ａ〜３１ｅに対応した乗場３２ａ〜３２ｅが設けられている。
【００２２】
このような構成において、セキュリティゲート１１の入口に設置された情報読取り装置１３に利用者の持つセキュリティカード１０をかざすと、そのセキュリティカード１０に記録されたＩＤ番号により利用者が認証される。正規の利用者であれば、セキュリティゲート１１の扉１２が開き、利用者はセキュリティゲート１１を通ってエレベータホール３０に入ることができる。
【００２３】
また、利用者がセキュリティカード１０を情報読取り装置１３にかざしたときに、セキュリティカード１０にＩＤ番号と共に記録されていた利用者の行先階が自動登録され、この行先階に対応した割当号機に関する情報がセキュリティゲート１１の出口側に設けられた表示装置１４に表示される。
【００２４】
図４はエレベータシステムの機能構成を示すブロック図である。なお、図１と同一部分には同じ符号を付して、その詳しい説明は省略するものとする。
【００２５】
建物の基準階にセキュリティゲート１１が設置されており、そのセキュリティゲート１１の通過先にエレベータホール３０がある。セキュリティゲート１１は、エレベータの群管理制御装置４０と接続されている。
【００２６】
群管理制御装置４０は、各号機の運転を群管理制御する。この群管理制御装置４０には、各号機に対応した制御装置３３ａ，３３ｂ，３３ｃ…が接続されている。これらの制御装置３３ａ，３３ｂ，３３ｃ…は、それぞれに個別に各号機の乗りかご３１ａ，３１ｂ，３１ｃ…の運転を制御する。具体的には、乗りかご３１ａ，３１ｂ，３１ｃ…を昇降動作させるためのモータの制御やドアの開閉制御などを行う。
【００２７】
ここで、本実施形態において、群管理制御装置４０には、呼び記憶部４１、運転状態監視部４２、割当制御部４３が備えられている。なお、ここでは便宜上、呼び記憶部４１、運転状態監視部４２、割当制御部４３の全てを群管理制御装置４０に配置して記述したが、必ずしも同一装置に配置する必要はなく、別々の装置に配置する構成であっても良い。
【００２８】
呼び記憶部４１には、情報読取り装置１３で読み取られた利用者の行先階が乗場呼びとして記憶される。なお、各階にセキュリティゲート１１が設置されている場合には、各階毎に利用者の行先階が階床情報と共に乗場呼びとして記憶される。また、例えば他の階に上下の方向ボタンを有する通常の乗場呼び登録装置が設置されていた場合には、方向ボタンの押下によって指定された行先方向（上方向または下方向）を示す情報が階床情報と共に乗場呼びとして記憶される。
【００２９】
運転状態監視部４２は、各号機の制御装置３３ａ，３３ｂ，３３ｃ…を通じて乗りかご３１ａ，３１ｂ，３１ｃ…の運転状態（かご位置、運転方向、戸開閉等）を監視する。
【００３０】
割当制御部４３は、新たな乗場呼びが呼び記憶部４１に記憶されたときに、運転状態監視部４２から得られる各号機の乗りかご３１ａ，３１ｂ，３１ｃ…の運転状態を考慮して各号機の中から最適な号機を割当号機として選出する。この場合、同じ行先階を有する乗場呼びを同じ号機に割り当てるような割当制御がなされる。なお、割当制御については本発明とは直接関係しないため、その詳しい説明は省略するものとする。
【００３１】
割当制御部４３によって割当号機が選出されると、その割当号機に対応した制御装置に割当信号が出力される。例えば、Ａ号機の乗りかご３１ａが割当号機として選出された場合には、Ａ号機制御装置３３ａに割当信号が出力される。これにより、Ａ号機の乗りかご３１ａが当該乗場呼びの登録階（利用者の行先階が登録された階）に応答する。
【００３２】
一方、割当号機が決定されたときに、その割当号機に関する情報（号機名等）がセキュリティゲート１１に対して送られる。これにより、セキュリティゲート１１の出口側に設置された表示装置１４にでは、利用者の行先階と割当号機を含む基本情報が表示される。さらに、本実施形態では、当該割当号機の乗場に利用者を案内するための案内情報が上記基本情報とは別の画面で表示される。
【００３３】
セキュリティゲート１１にはゲート制御装置（コントローラ）１５が設けられており、表示装置１４に対する表示制御を含め、セキュリティゲート１１の動作はゲート制御装置１５によって制御されている。
【００３４】
図５はゲート制御装置１５の機能構成を示すブロック図である。
【００３５】
ゲート制御装置１５には、認証部５１、ゲート動作制御部５２、表示制御部５３、記憶部５４が備えられている。
【００３６】
認証部５１は、情報読取り装置１３によって読み取られたセキュリティカード１０の情報に基づいて、セキュリティゲート１１を通過する利用者を認証する。詳しくは、セキュリティカード１０に記録されたＩＤ番号と予め登録されたＩＤ番号との照合により正規の利用者か否かを判別する。正規の利用者と判定された場合、認証部５１はゲート動作制御部５２にその旨の信号を出力する。また、認証部５１は、当該利用者の行先階を表示制御部５３に出力すると共に図示せぬ伝送ケーブルを介して群管理制御装置４０に送る。
【００３７】
ゲート動作制御部５２は、認証部５１から正規利用者の判定信号を受けると、セキュリティゲート１１の扉１２を所定時間だけ開放して利用者を通す。
【００３８】
表示制御部５３は、表示装置１４に対する表示制御を行う。この表示制御部５３は、利用者の行先階と割当号機を含む基本情報を表示装置１４に表示する。さらに、表示制御部５３は、記憶部５４を参照して割当号機の乗場の位置を確認し、利用者をその乗場まで案内するための案内情報を基本情報とは別の画面で表示する。記憶部５４には、予め図１に示したエレベータホール３０内の各号機の乗場３２ａ〜３２ｅの位置情報が記憶されている。
【００３９】
図６はゲート制御装置１５の動作を説明するためのフローチャートである。なお、このフローチャートで示される処理は、ゲート制御装置１５が所定のプログラムを読み込むことにより実行される。
【００４０】
利用者がセキュリティゲート１１の入口でセキュリティカード１０を情報読取り装置１３にかざすと、セキュリティカード１０に記録された利用者情報が読み取られ、ゲート制御装置１５の認証部５１に与えられる（ステップＳ１２）。
【００４１】
認証部５１は、利用者情報に含まれるＩＤ番号に基づいて利用者を認証する（ステップＳ１２）。ゲート動作制御部５２は、この認証部５１の認証結果を受けてゲート動作を制御する。すなわち、利用者を認証できなかった場合、つまり、情報読取り装置１３で読み取ったＩＤ番号と予め登録されたＩＤ番号が一致しなかった場合には（ステップＳ１２のＮｏ）、ゲート動作制御部５２は、利用者がエレベータホール３０に入らないようにセキュリティゲート１１の扉１２を閉じたままにしておく（ステップＳ１３）。
【００４２】
利用者を認証できた場合、つまり、情報読取り装置１３で読み取ったＩＤ番号と予め登録されたＩＤ番号が一致した場合には（ステップＳ１２のＹｅｓ）、ゲート動作制御部５２は、セキュリティゲート１１の扉１２を開いて利用者を通す（ステップＳ１４）。
【００４３】
また、認証部５１で利用者を認証できた場合には、当該利用者の行先階の情報が乗場呼びとして群管理制御装置４０に転送される（ステップＳ１５）。群管理制御装置４０では、利用者の行先階を含む乗場呼びに基づいて割当て制御を実施し、各号機の中から最適な号機を選出して当該乗場呼びを割り当てる。乗場呼びが割り当てられた号機を「割当号機」と呼ぶ。
【００４４】
この割当号機に関する情報（号機名等）は、群管理制御装置４０からゲート制御装置１５の表示制御部５３に送られる。表示制御部５３は、割当号機に関する情報を取得すると（ステップＳ１６のＹｅｓ）、記憶部５４を参照して当該割当号機の乗場の位置を確認する（ステップＳ１７）。上述したように、記憶部５４には予めエレベータホール３０内の各号機の乗場の位置を示す情報が記憶されている。
【００４５】
ここで、表示制御部５３は、まず、利用者の行先階と割当号機を含む基本情報を作成して表示装置１４に表示する（ステップＳ１８）。
【００４６】
図７に基本情報の表示例を示す。この例では、利用者の行先階を示す文字６１と割当号機を示す文字６２が表示されている。なお、これらの文字６１，６２の形状やサイズ、配置、色などは任意に設定可能であり、利用者がセキュリティゲート１１を移動しながら視認可能な形態であれば良い。
【００４７】
続いて、表示制御部５３は、上記ステップＳ１７で確認した割当号機の乗場に利用者を案内するための案内情報を作成し、この案内情報を基本情報とは別の画面で表示装置１４に切り替えて表示する（ステップＳ１９）。
【００４８】
図８に案内情報の表示例を示す。この例では、セキュリティゲート１１の出口から割当号機の乗場への方向を示す矢印６３が表示されている。なお、この矢印６３の形状やサイズ、配置、色などは任意に設定可能であり、利用者がセキュリティゲート１１を移動しながら視認可能な形態であれば良い。
【００４９】
このように本実施形態によれば、セキュリティゲート１１の開閉動作に連動して、利用者の行先階と割当号機を含む基本情報と割当号機の乗場への案内情報がゲート出口側に設置された表示装置１４に表示される。これにより、利用者はゲート出口で割当号機を確認でき、その割当号機の乗場に迷わずに行くことができる。
【００５０】
図７の例では、行先階が「５階」であり、割当号機が「Ａ号機」である。なお、割当号機と共に行先階を表示するのは、他の利用者に対して表示された割当号機を誤認させないためである。すなわち、複数の利用者がセキュリティゲート１１を続けて通過するような場合、各利用者がセキュリティゲート１１の出口を抜けるタイミングと表示のタイミングがずれることがある。このような場合に、他の利用者に対して表示された割当号機を誤認させないように、割当号機と行先階を対にして表示している。
【００５１】
また、図８の例では、案内情報として表示された矢印６３の向きからセキュリティゲート１１の出口から左斜めの方向に当該割当号機の乗場があることがわかる。
【００５２】
ここで、利用者はセキュリティゲート１１を移動しながら、表示装置１４に表示された内容を見る。この場合、基本情報（行先階と割当号機）と案内情報を同一画面に表示する構成では、両情報を瞬時に確認することは難しく、立ち止まって見なければならない。このため、例えば朝の出勤時間帯など、多数の利用者がセキュリティゲート１１を通る混雑時間帯では、各利用者がスムーズに流れずに、セキュリティゲート１１で人の滞留が生じることがある。このとき、群管理制御装置４０では、各利用者がゲート入口で登録した行先階に基づいて各号機を応答させているので、セキュリティゲート１１の通過に手間取ると、自分の号機に乗り遅れる可能性がある。
【００５３】
これに対し、本実施形態では、基本情報（行先階と割当号機）と案内情報が同一画面ではなく、別の画面に分けて表示されるので、利用者に対して両情報を確実に伝えることができる。したがって、多数の利用者はゲート出口で立ち止まることなく、スムーズに移動でき、自分の号機に乗り遅れることがない。また、１画面に表示する情報が少ないので、表示装置１４を小型化でき、小さな画面で対応できるといった利点もある。
【００５４】
ここで、一般的な情報処理システムで用いられる表示装置では、関連性のある複数の情報を別画面で表示する方法はある。しかしながら、この種の分野では、各ユーザが自分の席で端末の画面を見て作業するため、人が滞留するといった問題は生じない。一方、セキュリティゲートとＤＣＳを連動させたエレベータシステムでは、セキュリティゲート１１で人の滞留が生じる問題があり、これが群管理効率を低下させる要因となっている。したがって、本実施形態のように基本情報（行先階と割当号機）と案内情報を同一画面に表示させないで、別画面で表示する方法は有効的であり、セキュリティゲート１１での人の滞留を防いで、群管理効率を上げるといった効果を得ることができる。
【００５５】
（他の表示方法）
（１）フリッカー表示
上記実施形態では、基本情報と案内情報を別画面で切り替えて表示する例について説明した。このような切り替え表示の場合、例えば利用者がゲート出口を通過するタイミングと基本情報と案内情報の切り替えタイミングが合わないと、どちらかの情報を見過ごす可能性がある。
【００５６】
そこで、図９に示すように、基本情報と案内情報を所定時間の間で交互にフリッカー表示することでも良い。なお、フリッカーの間隔は利用者の歩行速度と視認性を考慮して設定されている。このような表示方法によれば、基本情報と案内情報が短時間で交互に表示されるので、利用者がゲート出口を通過するときに両情報を確実に視認できる。
【００５７】
（２）スクロール表示
また、別の表示方法として、図１０に示すように、基本情報と案内情報をスクロール表示することでも良い。なお、スクロールの間隔は利用者の歩行速度と視認性を考慮して設定されている。また、基本情報と案内情報のどちらを先に表示しても良い。このような表示方法によれば、基本情報と案内情報が連続的に表示されるので、利用者はスクロールの流れに歩調を合わせることで両情報を確実に視認できる。
【００５８】
（３）各号機の乗場配置に合わせて矢印の表示位置を変更
図８の例では、割当号機の乗場の方向を指す矢印６３を画面の中心に表示にしたが、矢印６３の向きが割当号機の乗場の方向を指していれば画面上のどこに表示されていても良い。
【００５９】
ただし、例えば画面サイズが小さく、矢印の向きを視認できないような場合には、乗場に向かう方向を間違えてしまう可能がある。そこで、別の表示方法として、図１１乃至図１５に示すように、エレベータホール３０内における各号機の乗場の配置に合わせて矢印６４の表示位置を変更するにしても良い。
【００６０】
すなわち、例えば各号機の乗場が図１に示したような配置であったとする。このような場合に、Ａ号機については、図１１に示すように画面の左側のやや上の位置６５ａに矢印６４を表示する。この矢印６４の向きはＡ号機の乗場３２ａを指している。なお、矢印６４の近くに号機名を付しておくことでもよい。
【００６１】
同様にして、Ｂ号機については、図１２に示すように画面の上側のやや左側の位置６５ｂに矢印６４を表示する。Ｃ号機については、図１３に示すように画面の上側の中心の位置６５ｃに矢印６４を表示する。Ｄ号機については、図１４に示すように画面の右側のやや上の位置６５ｄに矢印６４を表示する。Ｅ号機については、図１５に示すように画面の右側の中心の位置６５ｅに矢印６４を表示する。
【００６２】
このように、エレベータホール３０内における各号機の乗場の配置に合わせて矢印６４の表示位置を変更することで、例えば画面サイズが小さく、矢印の向きを視認できないような場合であっても、画面上の矢印の表示位置だけで乗場の方向を正しく判断できるようになる。
【００６３】
なお、このような表示方法を上述した切り替え表示、フリッカー表示、スクロール表示のいずれかの方法と組み合わせることが可能である。
【００６４】
（４）文字を乗場方向に流して表示
次に、矢印以外の方法で案内情報を表示する方法について説明する。
【００６５】
案内情報として、割当号機を表わす文字をその号機の乗場方向に流して表示する。すなわち、例えば各号機の乗場が図１に示したような配置であったとする。Ａ号機については、図１６に示すように「Ａ号機」を表わす文字６６ａを画面の左側のやや上の位置６７ａに向けて流すように表示する。
【００６６】
具体的には、画面の下側から左側のやや上の位置６７ａに向けて「Ａ号機」の文字６６ａを徐々に小さくして連続的に表示する。あるいは、「Ａ号機」の文字６６ａを画面の下側から左側のやや上の位置６７ａに向けて移動させる。要は、「Ａ号機」の文字６６ａが視覚的に乗場の方向に向かっているように見えれば良い。
【００６７】
同様にして、Ｂ号機については、図１７に示すように「Ｂ号機」を表わす文字６６ｂを画面の上側のやや左側の位置６７ｂに向けて流すように表示する。Ｃ号機については、図１８に示すように「Ｃ号機」を表わす文字６６ｃを画面の上側の中心の位置６７ｃに向けて流すように表示する。Ｄ号機については、図１９に示すように「Ｄ号機」を表わす文字６６ｄを画面の右側のやや上の位置６７ｄに向けて流すように表示する。Ｅ号機については、図２０に示すように「Ｅ号機」を表わす文字６６ｅを画面の右側の中心の位置６７ｅに向けて流すように表示する。
【００６８】
このように、各号機を表わす文字をそれぞれの乗場方向に流して表示することで、矢印を用いずとも、画面上に表示された文字の流れ方向から利用者が乗る号機の乗場の方向を正しく判断できる。
【００６９】
なお、このような表示方法を上述した切り替え表示、フリッカー表示、スクロール表示のいずれかの方法と組み合わせることが可能である。
【００７０】
（５）レイアウト表示
案内情報として矢印を使わないで表示する別の方法として、図２１に示すように、各号機の乗場位置を記したレイアウト７０を表示することでも良い。このレイアウト７０には、各号機の乗場の位置が示されている。また、利用者の現在位置（ゲート出口）にマーク７１が表示されると共に、その利用者が乗車する号機にマーク７２が表示される。これにより、利用者は各号機の乗場位置を全体的に把握でき、その中で自分が乗車する号機の位置と行き方を容易に判断できる。
【００７１】
なお、このような表示方法を上述した切り替え表示、フリッカー表示、スクロール表示のいずれかの方法と組み合わせることが可能である。
【００７２】
（６）レイアウトの簡易表示
図２１の例では各号機の乗場位置を含めてレイアウト表示したが、多数の号機が存在すると、各号機の乗場位置が画面内に収まらないことがある。そこで、図２２に示すように、エレベータホール３０のアウトラインだけを表した簡易のレイアウト７３を表示し、その中で利用者の現在位置（ゲート出口）にマーク７４と、その利用者が乗車する号機の位置にマーク７５を表示することでも良い。
【００７３】
このようにレイアウトを簡易的に表示することでも、利用者は各号機の乗場位置を全体的に把握でき、その中で自分が乗車する号機の位置と行き方を容易に判断できる。また、表示装置１４の画面サイズを大きくせずに案内情報を表示することができる。
【００７４】
なお、このような表示方法を上述した切り替え表示、フリッカー表示、スクロール表示のいずれかの方法と組み合わせることが可能である。
【００７５】
以上述べた少なくとも１つの実施形態によれば、セキュリティゲートを通過した利用者を乗場まで円滑に案内することのできるエレベータシステム、セキュリティゲート及び表示装置を提供することができる。
【００７６】
なお、上記実施形態では、ゲート制御装置１５に利用者を認証する機能（認証部５１）を設けたが、この認証機能を例えば群管理制御装置４０あるいは図示せぬビルシステム側に設けても良い。群管理制御装置４０に認証機能を設けた場合には、情報読取り装置１３で読み取った利用者のＩＤ番号を群管理制御装置４０に送る。群管理制御装置４０では、このＩＤ番号に基づいて利用者を認証した結果をゲート制御装置１５に返すようにする。ビルシステム側に認証機能を設けた場合も同様であり、情報読取り装置１３で読み取った利用者のＩＤ番号をビルシステムに送り、ビルシステムで認証した結果をゲート制御装置１５に返すようにすれば良い。
【００７７】
また、必ずしも利用者を認証する必要はなく、単に利用者の行先階を登録してゲートを開くシステムでも適用可能である。
【００７８】
要するに、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７９】
１０…セキュリティカード、１１…セキュリティゲート、１２…扉、１３…情報読取り装置、１４…表示装置、１５…ゲート制御装置、２０…操作パネル、２１…数字キー、２２…登録キー、３０…エレベータホール、３１ａ〜３１ｅ…乗りかご、３２ａ〜３２ｅ…乗場、４０…群管理制御装置、４１…呼び記憶部、４２…運転状態監視部、４３…割当制御部、５１…認証部、５２…ゲート動作制御部、５３…表示制御部、５４…記憶部。
【図１】
0005911542.tif 000002
【図２】
0005911542.tif 000003
【図３】
0005911542.tif 000004
【図４】
0005911542.tif 000005
【図５】
0005911542.tif 000006
【図６】
0005911542.tif 000007
【図７】
0005911542.tif 000008
【図８】
0005911542.tif 000009
【図９】
0005911542.tif 000010
【図１０】
0005911542.tif 000011
【図１１】
0005911542.tif 000012
【図１２】
0005911542.tif 000013
【図１３】
0005911542.tif 000014
【図１４】
0005911542.tif 000015
【図１５】
0005911542.tif 000016
【図１６】
0005911542.tif 000017
【図１７】
0005911542.tif 000018
【図１８】
0005911542.tif 000019
【図１９】
0005911542.tif 000020
【図２０】
0005911542.tif 000021
【図２１】
0005911542.tif 000022
【図２２】
0005911542.tif 000023